(57)【要約】  部品コストの上昇を可及的に抑制しながら、通気の確保と光線の漏出の十分な抑制とを図る遮光装置であり、通気を許容し且つ光線の通過を遮るための遮光体５１が備えられ、遮光体５１は、板材における平面部分から部分的に切り離して傾斜姿勢に屈曲形成した傾斜姿勢部分５１ａが、略同一姿勢で設定方向に複数個並ぶ状態で備えて構成され、同一形状の遮光体５１が、夫々の遮光体５１における傾斜姿勢部分５１ａの並び方向が一致する姿勢で、前記平面部分の厚さ方向に３個以上並べて配置され、複数の遮光体５１が、傾斜姿勢部分５１ａの傾斜の向きが交互に逆向きとなる状態で並べられて構成されている。
2012144542.tif 000002
【特許請求の範囲】
【請求項１】
通気を許容し且つ光線の通過を遮るための遮光体が備えられている遮光装置であって、
前記遮光体は、平面部分と傾斜姿勢部分を備えて構成され、
複数の前記遮光体が、前記傾斜姿勢部分の傾斜の向きが交互に逆向きとなる状態で平面部分の厚さ方向に３個以上並べられて構成されている遮光装置。
【請求項２】
前記遮光体は、板材における平面部分から部分的に切り離して傾斜姿勢に屈曲形成されている請求項１記載の遮光装置。
【請求項３】
前記傾斜姿勢部分が、略同一姿勢で設定方向に複数個並ぶ状態で備えて構成されている請求項１または２記載の遮光装置。
【請求項４】
複数の前記遮光体が、同一形状であり、夫々の前記遮光体における前記傾斜姿勢部分の並び方向が一致する姿勢で、前記平面部分の厚さ方向に配置されている請求項１から３の何れかに記載の遮光装置。
【請求項５】
装置筐体内に光源ランプが備えられ、
前記光源ランプを冷却するための冷却風の排出又は吸入のための排気口又は吸気口が前記装置筐体の側面に形成され、
前記冷却風の流路の途中箇所に、前記冷却風の通過を許容し且つ前記光源ランプの出射光を遮るための遮光体が備えられている光源装置であって、
前記遮光体は、平面部分と傾斜姿勢部分を備えて構成され、
複数の前記遮光体が、前記傾斜姿勢部分の傾斜の向きが交互に逆向きとなる状態で平面部分の厚さ方向に３個以上並べられて構成されている光源装置。
【請求項６】
前記遮光体は、前記排気口又は前記吸気口に近接して配置されている請求項５記載の光源装置。
【請求項７】
前記傾斜姿勢部分の傾斜面の形状が略長方形形状に形成されている請求項５または６記載の光源装置。
【請求項８】
前記遮光体は、板材における平面部分から部分的に切り離して傾斜姿勢に屈曲形成されている請求項５から７の何れかに記載の光源装置。
【請求項９】
前記傾斜姿勢部分が、略同一姿勢で設定方向に複数個並ぶ状態で備えて構成されている請求項５から８の何れかに記載の光源装置。
【請求項１０】
複数の前記遮光体が、同一形状であり、夫々の前記遮光体における前記傾斜姿勢部分の並び方向が一致する姿勢で、前記平面部分の厚さ方向に配置されている請求項５から９の何れかに記載の光源装置。
【発明の詳細な説明】
【技術分野】
【０００１】
本発明は、通気を許容し且つ光線の通過を遮るための遮光体が備えられている遮光装置に関し、さらには装置筐体内に光源ランプが備えられ、前記光源ランプを冷却するための冷却風の排出又は吸入のための排気口又は吸気口が前記装置筐体の側面に形成され、前記排気口又は吸気口に、前記冷却風の通過を許容し且つ前記光源ランプの出射光を遮るための遮光体が備えられている光源装置に関する。
【背景技術】
【０００２】
かかる遮光装置を備えた光源装置で、可視光の放射が主体の光源ランプを使用するものとしては、例えばプロジェクタ等があり、紫外光の放射が主体の光源ランプ（すなわち、紫外線ランプ）を使用するものとしては、例えば紫外線照射装置がある。紫外線照射装置は、インクジェットプリント装置における塗布したインクの硬化乾燥処理や、半導体素子の処理工程、更には、各種の部材の洗浄工程等の多様な用途で用いられている。
このような光源装置では、光源ランプや他の周辺部品等の冷却のための装置筐体内に冷却風を流すことがよく行われており、装置筐体の側面に排気口又は吸気口が備えられて、その冷却風の排出又は吸入が行われる。
このような排気口又は吸気口は、光源ランプに近接して設置される場合も多く、光源ランプの出射光が排気口又は吸気口から装置筐体外へ漏れ出るのを極力遮ることを要求されている。
このために、下記特許文献１にも記載のように、例えば枠体に傾斜姿勢の板材を並べて配置した構成の、いわゆる「ルーバー」を排気口又は吸気口に備える場合が多い。
【先行技術文献】
【特許文献】
【０００３】
【特許文献１】特開２００６−１６２８４０号公報
【発明の概要】
【発明が解決しようとする課題】
【０００４】
しかしながら、いわゆるルーバーを排気口又は吸気口に配置する構成では、その形状を工夫することによって、冷却風の通気の確保と光源ランプの出射光の漏出の抑制とを図ることができるものの、部品コストの上昇を招いてしまう不都合がある。
そこで本願発明者は、上記不都合を解消するために、排気風量調整用のパンチングメタルや被照射物から飛散したインクを除去するために設けるフィルターを排気口又は吸気口に配置して出射光の漏出の抑制を試みた結果、パンチングメタルの場合は、出射光の漏出を抑制できるまで目を細かくすると、通気性が確保できないし、フィルターの場合は、パンチングメタル程、目を細かくしなくても出射光の漏出は抑制できるが、飛散したインクにより目詰まりが発生し、やはり通気性が確保できないという問題があることが判った。
また、平板に傾斜部と空気通路を設けた遮光板を、単純にその傾斜部を逆向きになるように２枚重ねて排気口又は吸気口に配置する構成も試みたが、やはり出射光の漏出を抑制できないし、この２枚の遮光板を位相差をつけて逆向きにするなどの方法も考えたが、位相差をつけるために、２枚の遮光板の形状を同一にできないし、通気性を確保しながら、出射光の漏出を抑制するには、遮光板の配置設計の自由度も小さくなってしまい、やはり、部品コストの上昇を招いてしまうという問題があることも判った。
また、他の方法としては、出射光の漏出を抑制するために、遮光板の傾斜部に側面カバーを設けることも試みたが、一枚の板材に傾斜部と側面カバーを設けるためには、溶接や成型加工など余分な加工が必要であり、やはり部品コストの上昇を招いてしまうという問題があることも判った。
本発明は、かかる実情に鑑みてなされたものであって、その目的は、部品コストの上昇を可及的に抑制しながら、通気の確保と光線の漏出の十分な抑制とを図る点にある。特に、本発明の目的は、ランプの近傍に排気口又は吸気口が設けられる光源装置において、通気の確保と光線の漏出の十分な抑制とを図る点にある。
【課題を解決するための手段】
【０００５】
本出願の第１の発明は、通気を許容し且つ光線の通過を遮るための遮光体が備えられている遮光装置であって、前記遮光体は、平面部分と傾斜姿勢部分を備えて構成され、複数の前記遮光体が、前記傾斜姿勢部分の傾斜の向きが交互に逆向きとなる状態で平面部分の厚さ方向に３個以上並べられて構成されている。【０００６】
すなわち、通気を許容し且つ光線の通過を遮る平面部分と傾斜姿勢部分を有する遮光体を、遮光体の平面部分の厚さ方向に３個以上並べて配置し、夫々の遮光体の傾斜姿勢部分の傾斜の向きが交互に逆向きとなるようにしている。
個々の遮光体は、遮光体に入射した光線をそのまま通過させてしまうエリアができてしまい、遮光能力が不足する。このような遮光体を、上記平面部分の厚さ方向に単純に２個並べて配置しても遮光の効果は不十分であり、遮光効果をあげるために２個に位相差をつけるなどして位置をずらすと、位置をずらさずに単純に２個並べて配置した時よりも遮光効果は上がるが、目的の遮光効果は得られないし、通気性の確保も十分ではない。
また、２個に位相差をつけるなどして位置をずらすためには、それぞれの遮光板の形状や装置筐体への取り付け冶具の変更が必要であり、設計の自由度が小さくなるとともに、部品コストも上昇してしまうという問題もあった。
本願発明者は、これらの問題に対して鋭意研究を重ねた結果、３個以上の遮光体を上記の姿勢で並べることによって、入射した光線を有効に遮ることができることを、初めて見出したのである。【０００７】
又、本出願の第２の発明は、上記第１の発明の構成に加えて、前記遮光体は、板材における平面部分から部分的に切り離して傾斜姿勢に屈曲形成されている。
すなわち、例えば板材に貫通溝を形成する等して、板材の一部を部分的に切り離すと共に、その切り離し部分を傾斜姿勢に屈曲した形状としたものであり、遮光体の好ましい構成を示すものである。【０００８】
又、本出願の第３の発明は、上記第１又は第２の発明の構成に加えて、前記傾斜姿勢部分が、略同一姿勢で設定方向に複数個並ぶ状態で備えて構成されている。
これは、前記傾斜姿勢部分の好ましい構成を示すものである。【０００９】
又、本出願の第４の発明は、上記第１から第３の何れかの発明の構成に加えて、複数の前記遮光体が、同一形状であり、夫々の前記遮光体における前記傾斜姿勢部分の並び方向が一致する姿勢で、前記平面部分の厚さ方向に配置されている。
これは、前記複数の前記遮光体の好ましい構成を示すものである。【００１０】
又、本出願の第５の発明は、装置筐体内に光源ランプが備えられ、前記光源ランプを冷却するための冷却風の排出又は吸入のための排気口又は吸気口が前記装置筐体の側面に形成され、前記冷却風の流路の途中箇所に、前記冷却風の通過を許容し且つ前記光源ランプの出射光を遮るための遮光体が備えられている光源装置であって、前記遮光体は、平面部分と傾斜姿勢部分を備えて構成され、複数の前記遮光体が、前記傾斜姿勢部分の傾斜の向きが交互に逆向きとなる状態で平面部分の厚さ方向に３個以上並べられて構成されている。【００１１】
すなわち、光源ランプの出射光が排気口又は吸気口から漏れ出るのを防止するために配置する通気を許容し且つ光線の通過を遮る平面部分と傾斜姿勢部分を有する遮光体を、遮光体の平面部分の厚さ方向に３個以上並べて配置し、夫々の遮光体の傾斜姿勢部分の傾斜の向きが交互に逆向きとなるようにしている。
個々の遮光体は、遮光体に入射した光線をそのまま通過させてしまうエリアができてしまい、遮光能力が不足する。このような遮光体を、上記平面部分の厚さ方向に２個並べて配置しても遮光の効果は不十分であるし、２個に位相差をつけるなど位置をずらすと、位置をずらさずに単純に２個並べて配置した時よりも遮光効果は上がるが、目的の遮光効果は得られないし、通気性の確保も十分ではない。また、２個に位相差をつけるなど位置をずらすには、それぞれの遮光板の形状や装置筐体への取り付け冶具の変更が必要であり、設計の自由度が小さくなるとともに、部品コストも上昇してしまうという問題もあった。
本願発明者は、これらの問題に対して鋭意研究を重ねた結果、３個以上の遮光体を上記の姿勢で並べることによって、入射した光線を有効に遮ることができることを、初めて見出したのである。【００１２】
又、本出願の第６の発明は、上記第５の発明の構成に加えて、前記遮光体は、前記排気口又は前記吸気口に近接して配置されている。
すなわち、光源ランプの出射光が装置筐体の外部の漏れ出る最後の位置である排気口又は吸気口に近接して遮光体を設置することで、効率良く遮光を行うことができる。【００１３】
又、本出願の第７の発明は、上記第５又は第６の発明の構成に加えて、前記傾斜姿勢部分の傾斜面の形状が略長方形形状に形成されている。
すなわち、上記遮光体における傾斜姿勢部分の形状を、一般的なルーバーで良く使用される形状とすることで、作製し易い簡素な形状で、遮光と通気とをバランス良く確保できる。【００１４】
又、本出願の第８の発明は、上記第５から第７の何れかの発明の構成に加えて、前記遮光体は、板材における平面部分から部分的に切り離して傾斜姿勢に屈曲形成されている。
すなわち、例えば板材に貫通溝を形成する等して、板材の一部を部分的に切り離すと共に、その切り離し部分を傾斜姿勢に屈曲した形状としたものであり、遮光体の好ましい構成を示すものである。【００１５】
又、本出願の第９の発明は、上記第５から第８の何れかの発明の構成に加えて、前記傾斜姿勢部分が、略同一姿勢で設定方向に複数個並ぶ状態で備えて構成されている。
これは、前記傾斜姿勢部分の好ましい構成を示すものである。【００１６】
又、本出願の第１０の発明は、上記第５から第９の何れかの発明の構成に加えて、複数の前記遮光体が、同一形状であり、夫々の前記遮光体における前記傾斜姿勢部分の並び方向が一致する姿勢で、前記平面部分の厚さ方向に配置されている。
これは、前記複数の前記遮光体の好ましい構成を示すものである。
【発明の効果】
【００１７】
上記第１の発明によれば、平面部分と傾斜姿勢部分を備えた遮光体を、複数個（３個以上）作製し、それらを適切な姿勢で並べて配置するだけの簡単な構成で、通気を確保し、光線の通過を遮るので、部品コストの上昇を可及的に抑制しながら、通気の確保と光線の漏出の十分な抑制とを実現できるものとなった。
上記第２の発明によれば、遮光体を板材における平面部分から部分的に切り離して傾斜姿勢に屈曲形成するだけの溶接加工や成型加工などの余分な加工が必要なく、簡単な方法で作成できるので、部品コストを可及的に抑制できる。
又、上記第３の発明によれば、遮光体の傾斜姿勢部分が、略同一姿勢で設定方向に複数個並べる構成とすることで、作製の容易さによる装置コストの低減と必要な機能の確保とをバランス良く実現できる。
又、上記第４の発明によれば、同一形状の遮光体を、夫々の傾斜姿勢部分の並び方向が一致する姿勢で、遮光体の平面部分の厚さ方向に複数配置する構成とすることで、作製の容易さによる装置コストの低減と必要な機能の確保とをバランス良く実現できる。
又、上記第５の発明によれば、平面部分と傾斜姿勢部分を備えた板材を屈曲加工して形成する簡素な形状の遮光体を、同一形状で複数個（３個以上）作製し、それらを適切な姿勢で並べて配置するだけの簡単な構成で、通気を確保し、光線の通過を遮るので、部品コストの上昇を可及的に抑制しながら、通気の確保と光線の漏出の十分な抑制とを実現できるものとなった。
又、上記第６の発明によれば、光源ランプの出射光が装置筐体の外部の漏れ出る最後の位置である排気口又は吸気口に近接して遮光体を設置することで、効率良く遮光を行うことができる。
又、本出願の第７の発明によれば、遮光体における傾斜姿勢部分の形状を、一般的なルーバーで良く使用される形状とすることで、作製し易い簡素な形状で、遮光と通気とをバランス良く確保できる。
又、本出願の第８の発明によれば、遮光体を板材における平面部分から部分的に切り離して傾斜姿勢に屈曲形成するだけの溶接加工や成型加工などの余分な加工が必要なく、簡単な方法で作成できるので、部品コストを可及的に抑制できる。
又、上記第９の発明によれば、遮光体の傾斜姿勢部分が、略同一姿勢で設定方向に複数個並べる構成とすることで、作製の容易さによる装置コストの低減と必要な機能の確保とをバランス良く実現できる。
又、上記第１０の発明によれば、同一形状の遮光体を、夫々の傾斜姿勢部分の並び方向が一致する姿勢で、遮光体の平面部分の厚さ方向に複数配置する構成とすることで、作製の容易さによる装置コストの低減と必要な機能の確保とをバランス良く実現できる。
【図面の簡単な説明】
【００１８】
【図１】図１は、本発明の実施の形態にかかる紫外線照射装置の内部構成を正面視で示す図である。
【図２】図２は、本発明の実施の形態にかかる紫外線照射装置の内部構成を側面視で示す図である。
【図３】図３は、本発明の実施の形態にかかる紫外線照射装置を平面視で示す図である。
【図４】図４は、本発明の実施の形態にかかる遮光体の配置を示す下方側から見た斜視図である。
【発明を実施するための形態】
【００１９】
以下、本発明の光源装置の実施の形態を図面に基づいて説明する。
本実施の形態では、光源装置として、紫外線照射装置ＵＲを例示して説明する。
本実施の形態の紫外線照射装置ＵＲは、業務用のインクジェットプリント装置のプリントヘッドに取り付けられて使用されるものであり、プリントヘッドを走査して画像を形成する際に、そのプリントヘッドと共に移動して、形成した画像のＵＶインクに紫外線を照射させることにより瞬時に硬化させ、乾燥させる。
【００２０】
紫外線照射装置ＵＲは、装置筐体１の内部構造を図示する図１に示すように、装置筐体１内に備えられる、送風ユニット２、ランプユニット３、シャッタユニット４、及び、排気ユニット５を主要部として構成されている。これらのユニットは、ユニット同士が連結されているか、あるいは、図示を省略する固定部材によって装置筐体１内に固定されている。尚、図１においては、内部構成を示すために部品の一部を適宜に切り欠いた状態で示している。
装置筐体１は、直方体形状に形成され、説明の便宜上、図１が正面視で図示されているものとして、上下一対の天板２１及び底板２２と、左右一対の右側板２３及び左側板２４と、図１においては紙面と平行となる一対の正面側板２５及び裏面側板２６（図２参照）とを備えて構成されている。
【００２１】
送風ユニット２は、平面視で示す図３にも示すように、二重反転式のファン２ａにて構成され、ファン２ａの吸気側が、装置筐体１の１側面である天板２１に形成した吸気口２１ａに近接して配置されている。
ファン２ａの回転によって装置筐体１の外部から吸引された空気は、冷却風として、装置筐体１の内部において下方側に向けて送風される。
冷却風を上下方向に通風するダクト５ａを主要部として構成される排気ユニット５は、装置筐体１の天板２１において吸気口２１ａと隣接して配置されている排気口２１ｂ（図３参照）の直下に位置し、装置筐体１内において送風ユニット２に隣接して配置されている。
この排気口２１ｂ及び吸気口２１ａは、主にランプユニット３に備えられる光源ランプ６を冷却するための冷却風の排出及び吸入のためのものである。
【００２２】
ランプユニット３には、図１及び図２に示すように、略棒状の外形形状を有する光源ランプ６が備えられている。本実施の形態の光源ランプ６は、紫外線領域の光を出射する紫外線ランプである。
ランプユニット３には、更に、光源ランプ６の出射紫外線を装置筐体１の底板２２側に向けて集光する一対の反射ミラー７ａ，７ｂと、その反射ミラー７ａ，７ｂを夫々支持する一対のミラーホルダ８ａ，８ｂと、これらを囲むように配置される、平面視で口の字状の枠体３ａとが備えられている。
尚、図２（ａ）は、左側板２４を外した状態の紫外線照射装置ＵＲを左側板２４側から見た状態を示しており、図２（ｂ）は、図２（ａ）と同一方向視で、装置筐体１の幅方向中央付近での断面図を示している。図２（ｂ）では、図面を見易くするために、正面側板２５及び裏面側板２６等の細部においては断面を示す斜線の表記を適宜に省略している。
【００２３】
光源ランプ６は、図１において破線で示すように、紫外線発光に寄与する部分が円筒形状で、全体として略棒状の外形形状を有している。光源ランプ６の長手方向両端部には、放電用の高電圧を印加するための一対の電極６ａ，６ｂが振り分けて配置され、その電極６ａ，６ｂは、板ばねにて形成される端子３ｃ，３ｄに支持されている。
光源ランプ６における電極６ａ，６ｂ付近は、ランプユニット３の枠体３ａを貫通して、ランプユニット３の外部へ突出している。枠体３ａには、電極６ａ，６ｂ付近に覆い被さる姿勢で冷却風遮蔽部材９が取り付けられており、電極６ａを支持する端子３ｃは、その冷却風遮蔽部材９に取り付けられている。冷却風遮蔽部材９は、送風ユニット２からの冷却風を遮って、光源ランプ６の電極６ａ付近が過度に冷却されてしまうのを防止するためのものである。
本実施の形態では、上述のように、紫外線照射装置ＵＲをインクジェットプリント装置のプリントヘッドに取り付ける関係で、装置構成の小型化が図られており、光源ランプ６も、発光長が２００ｍｍ以下の小型のものが使用されている。
【００２４】
シャッタユニット４は、光源ランプ６の出射紫外線をシャッタユニット４の直下に隣接して位置する紫外線出射窓１０から装置筐体１の外部へ出射するか否かを切り換え操作するためのユニットである。
シャッタユニット４には、長方形の金属製の板材を浅い角度で３段に同側に屈曲させた形状のシャッタ４ａと、そのシャッタ４ａを開閉駆動するモータ４ｂとが主要部として備えられている。
シャッタ４ａは、平面視で略コの字状に作製された枠体４ｃ内の空間を可動範囲として配置され、図２（ｂ）において実線で示す起立姿勢では、シャッタ４ａが枠体４ｃのコの字の開放側を塞ぐに位置に位置する。この起立姿勢のときが、シャッタ４ａが開いている状態であり、枠体４ｃと起立姿勢のシャッタ４ａとで囲まれる空間を、光源ランプ６から出射した紫外線が通過する。
【００２５】
枠体４ｃは、紫外線が装置筐体１内の他の部分へ漏れ出るのを抑制する遮光板として備えられており、枠体４ｃにおける、光源ランプ６の出射紫外線が通過する空間に面する側の各面は、鏡面仕上げが施されて、光源ランプ６から出射した紫外線の反射損失を抑制している。シャッタ４ａにおける紫外線の通過空間側の面も、上記と同様に鏡面仕上げが施されている。
枠体４ｃの外側には、左側板２４側にモータ保持板４６が取り付けられ、右側板２３側に回転軸保持板４４が取り付けられている。
【００２６】
モータ４ｂは、モータ保持板４６に保持される状態で、シャッタ４ａと枠体４ｃとで囲まれる空間の外側の送風ユニット２の下方側位置に配置されている。モータ４ｂの設置位置の上部には、モータ保持板４６が延出して、直上に位置する光源ランプ６の電極６ａ付近から漏れる紫外線で、モータ４ｂや関連部品の寿命が短くなってしまうのを防いでいる。
減速機を通したモータ４ｂの回転軸４１は、枠体４ｃを貫通して、シャッタ４ａの端部に取り付けられた固定部材４２に取り付けられている。
更に、固定部材４２の存在側と反対側の端部に取り付けられた固定部材４３にも回転軸４３ａが備えられている。
回転軸保持板４４には軸受け４５が取り付けられ、回転軸４３ａは、枠体４ｃの縦壁を貫通して、上記軸受け４５に回転自在に支持されている。
回転軸４１と回転軸４３ａとは共通の回転軸芯上に配置され、固定部材４２と固定部材４３とは起立姿勢のシャッタ４ａの下端付近に取り付けられて、モータ４ｂの駆動によってシャッタ４ａを遥動駆動する構成としている。
【００２７】
モータ４ｂの回転駆動によって、シャッタ４ａは、図２（ｂ）において実線で示す起立姿勢と、２点鎖線で示す略水平姿勢とに切り換え駆動される。
上述のように実線で示す起立姿勢が上述のようにシャッタ４ａの開き姿勢であり、シャッタ４ａは、この開き姿勢において、光源ランプ６の出射紫外線がシャッタユニット４の直下に位置する紫外線出射窓１０から装置筐体１の外部へ出射されるのを許容する。
一方、図２（ｂ）において２点鎖線で示す略水平姿勢がシャッタ４ａの閉じ姿勢であり、この閉じ姿勢では、シャッタ４ａが光源ランプ６側に向けて凸となる姿勢になっている。シャッタ４ａは、その閉じ姿勢において、光源ランプ６から出射した紫外線を遮って、紫外線出射窓１０から装置筐体１の外部へ紫外線が出射されるのを阻止する。
紫外線出射窓１０は、底板２２に矩形開口として形成されている。紫外線出射窓１０には、紫外線を透過させる石英製の透光板１１が、紫外線出射窓１０を覆うように取り付けられている。
【００２８】
上記構成において、送風ユニット２にて装置筐体１内に取り込まれた冷却風は、装置筐体１の下端側のモータ４ｂの存在位置まで吹き下ろされ、ユニット間の多数の隙間を通過してシャッタユニット４の枠体４ｃ内に入り込み、それから上昇して光源ランプ６を冷却した後に、排気ユニット５を通過して排気口２１ｂから排出される。
排気ユニット５では、ランプユニット３から上昇してくる冷却風を通過させて排気口２１ｂから排出させると共に、ランプユニット３の通気用の空隙等から漏れ出る光源ランプ６の出射紫外線が装置筐体１外に漏れ出てしまうのを極力抑制することが要求される。
このための、冷却風の流路の途中箇所に、冷却風の通過を許容し且つ光源ランプ６の出射光（出射紫外線）を遮るための遮光装置ＳＤが備えられている。遮光装置ＳＤの取付箇所は、より具体的には、排気ユニット５の上端付近における排気口２１ｂに近接する位置である。
【００２９】
本実施の形態では、遮光装置ＳＤは、同一形状の遮光体５１を３個備えている。
遮光体５１には、遮光体５１を下方側から見上げた斜視図として示す図４に示すように、長方形の金属の板材に対して、それの平面部分５１ｂにコの字状に貫通溝を形成することで部分的に切り離すと共に、その部分を傾斜姿勢に屈曲形成した傾斜姿勢部分５１ａを形成している。略長方形形状（より具体的には、短冊形状）の傾斜面を有する傾斜姿勢部分５１ａは、傾斜面の長辺側が遮光体５１の平面部分５１ｂと連なり、傾斜姿勢部分５１ａを形成することによって形成される開口５１ｃが冷却風の通過を許容する通路となる。平面部分５１ｂに対する傾斜姿勢部分５１ａの傾斜角は、本実施の形態では、約４５度としている。
略長方形形状の傾斜面を有する傾斜姿勢部分５１ａは、矩形形状の開口５１ｃの短辺に沿う方向に、略同一姿勢で複数個を並べた状態で形成されている。
遮光体５１の長辺側の端縁には矩形の固定用突起５１ｄが形成されており、この固定用突起５１ｄをダクト５ａに形成されている取付孔に嵌合させることで、ダクト５ａ内において遮光体５１を固定する。
３個の遮光体５１は、図１に示すように、上記平面部分５１ｂの厚さ方向に並べて配置されるのであるが、並び方向で縦軸芯周りに交互に１８０度向きを変えて配置しており、傾斜姿勢部分５１ａの傾斜の向きが交互となっている。換言すると、各遮光体５１間で傾斜姿勢部分５１ａの並び方向は一致しているが、傾斜姿勢部分５１ａの傾斜の向きが交互に逆向きとなる状態で並べられている。
尚、図４では、図面を見やすくするために、３個の遮光体５１の間隔をあけて図示しているが、実際の並び間隔は、図１に示すように近接している。
【００３０】
〔別実施形態〕
以下、本発明の別実施形態を列記する。
（１）上記実施の形態では、排気ユニット５に設置した遮光装置ＳＤにおいて、遮光体５１を３個並べて配置する場合を例示しているが、４個以上並べて配置する構成としても良い。
（２）上記実施の形態では、遮光体５１を排気口２１ｂに近接して配置する場合を例示しているが、吸気口２１ａから光源ランプ６の出射光が漏れやすい配置構成の場合には、冷却風の流路の途中箇所において、吸気口２１ａに近接して遮光体５１を備える構成としても良い。
（３）上記実施の形態では、光源装置として紫外線照射装置ＵＲを例示しているが、紫外線を取り扱う光源に限らず、光源ランプを冷却する必要のある各種の機器において、本発明を適用することができる。
【符号の説明】
【００３１】
１      装置筐体
６      光源ランプ
２１ｂ  排気口
５１    遮光体
５１ａ  傾斜姿勢部分
５１ｂ  平面部分
【図１】
2012144542.tif 000003
【図２】
2012144542.tif 000004
【図３】
2012144542.tif 000005
【図４】
2012144542.tif 000006
【国際調査報告】
2012144542.tif 000007
2012144542.tif 000008